【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
セキュリティ文書、特に紙幣やＩＤドキュメント作成のためのセキュリティエレメントであって、上面及び底面を有し、
前記セキュリティエレメントは、光学的効果を電気的に変更可能な少なくとも１つの層を備え、
前記光学的効果を電気的に変更可能な少なくとも１つの層は、電場内で配向可能な液晶を有し、
ａ）前記光学的効果を電気的に変更可能な少なくとも１つの層は、さらに棒状染料分子を有し、前記棒状染料分子の長軸が、空間的に隣接する前記液晶の長軸の配向に応じて変化可能に構成され、
ｂ）前記電場内で配向可能な前記液晶は、同時に染料分子としても作用するように形成されることを特徴とする。  
【請求項２】
請求項１に記載のセキュリティエレメントであって、
前記電場内で配向可能な前記液晶の長軸に対する前記棒状染料分子の長軸の配向効率が、５０％から１００％であることを特徴とする。
【請求項３】
請求項１又は２に記載のセキュリティエレメントであって、
前記棒状染料分子が、水溶性、非イオン性、化学的、光化学的、及び／又は電気化学的に安定した染料分子であり、及び／又は
前記棒状染料分子が共役染料分子であることを特徴とする。
【請求項４】
請求項１から３のいずれか１項に記載のセキュリティエレメントであって、
前記棒状染料分子が、アントラキノン染料及び／又はアゾ染料の分子を少なくとも１つ有し、及び／又は
前記光学的効果を電気的に変更可能な少なくとも１つの層における棒状染料分子の密度は、０．０５重量％から４重量％であり、及び／又は
前記棒状染料分子が、可視光領域の波長の光であって、前記棒状染料分子の前記長軸と平行に入射する光よりも、前記棒状染料分子の長軸と垂直に入射する光をより強く吸収することを特徴とする。
【請求項５】
請求項１から４のいずれか１項に記載のセキュリティエレメントであって、
前記セキュリティエレメントが支持層を備え、
前記セキュリティエレメントの底面に拡がる面と直交する方向からみたとき、前記支持層が、前記光学的効果を電気的に変更可能な少なくとも１つの層の周囲において、少なくとも部分的にフレームを形成し、
前記フレームは、前記光学的効果を電気的に変更可能な少なくとも１つの層を機械的に強化すると共に、前記フレームが視認可能なデザイン要素を形成していることを特徴とする。
【請求項６】
請求項５に記載のセキュリティエレメントであって、
前記支持層は、１つ以上の第１ゾーンに設けられる一方、１つ以上の第２ゾーンに設けられず、
前記１つ以上の第１ゾーン内の前記支持層は、高さが１μｍから５０μｍであり、
前記１つ以上の第１ゾーン同士の距離が、５μｍから５００μｍであり、
前記１つ以上の第２ゾーン内の前記セキュリティエレメントが、前記光学的効果を電気的に変更可能な少なくとも１つの層を備え、
前記１つ以上の第１ゾーンは、１次元又は２次元格子に従って配置されていることを特徴とする。
【請求項７】
請求項６に記載のセキュリティエレメントであって、
前記１つ以上の第１ゾーンは、パターン状に形成されていることを特徴とする。
【請求項８】
請求項１から７のいずれか１項に記載のセキュリティエレメントであって、
前記セキュリティエレメントが、第１電極層及び第２電極層を備え、前記第１電極層及び第２電極層の間に、前記光学的効果を電気的に変更可能な少なくとも１つの層の少なくとも１部が配置され、
前記第１電極層及び／又は前記第２電極層は第１領域に設けられ、第２領域には設けられず、
前記第１領域は、パターン状、具体的には、第２の情報を示すパターン状に形成されていることを特徴とする。
【請求項９】
請求項８に記載のセキュリティエレメントであって、
前記第１電極層が、少なくとも１つの第３領域で第１微細構造を有し、
前記第１微細構造が、第１回折レリーフ構造及び／又はバイナリ微細構造であり、
前記第２電極層は、少なくとも１つの第４領域に第２微細構造、具体的には、キネグラム（登録商標）やホログラム、０次回折構造、ブレーズド格子、特に、非対称鋸歯レリーフ構造、回折構造、特に、線形の正弦波回折格子や交差した正弦回折格子、線形の単一又は多段矩形格子や交差した単一若しくは多段矩形格子、光回折及び／若しくは光屈折及び／若しくは光収束型のマイクロ若しくはナノ構造、バイナリ若しくは連続フレネルレンズ、バイナリ若しくは連続フレネルフリー表面、回折若しくは屈折マクロ構造、特に、レンズ構造若しくはマイクロプリズム構造、鏡面、マット構造、特に、異方性若しくは等方性のマット構造、又はこれらの構造の組み合わせからなる群、から選択される第２回折レリーフ構造を有していることを特徴とする。
【請求項１０】
請求項１から９のいずれか１項に記載のセキュリティエレメントであって、
前記光学的効果を電気的に変更可能な少なくとも１つの層は、第１の好適な方向を持つ第１配向層と、第２の好適な方向を持つ第２配向層との間に配置され、
前記第１配向層及び／又は前記第２配向層は、第３回折レリーフ構造を有していることを特徴とする。
【請求項１１】
請求項１から１０のいずれか１項に記載のセキュリティエレメントであって、
前記セキュリティエレメントは、少なくとも１つの第１偏光子層を備え、
前記セキュリティエレメントは、第２偏光子層を備え、
前記光学的効果を電気的に変更可能な少なくとも１つの層のうちの少なくとも一部が、前記少なくとも１つの第１偏光子層と前記第２偏光子層との間に配置され、
前記少なくとも１つの第１偏光子層及び／又は前記１つの第２偏光子層は、半結晶性ポリマー層であることを特徴とする。
【請求項１２】
請求項１から１１のいずれか１項に記載のセキュリティエレメントであって、
前記セキュリティエレメントは、前記セキュリティエレメントの光学的外観に影響を与える少なくとも１つの効果層を備え、
前記少なくとも１つの効果層は、光学的に変化する層、具体的には、結合剤及び光学的に可変な顔料を含む少なくとも１つのカラー層であることを特徴とする。
【請求項１３】
請求項１から１２のいずれか１項に記載のセキュリティエレメントであって、
前記セキュリティエレメントは、前記光学的効果を電気的に変更可能な少なくとも１つの層を制御する少なくとも１つのエネルギ源を有していることを特徴とする。
【請求項１４】
請求項１から１３のいずれか１項に記載のセキュリティエレメントを少なくとも１つ有するセキュリティ文書であり、
前記セキュリティエレメントは、前記セキュリティ文書の透明な領域および／又は前記セキュリティ文書の窓のある領域に配置されていることを特徴とする。
【請求項１５】
請求項１から１３のいずれか１項に記載のセキュリティエレメントを少なくとも１つ有する転送フィルムであって、
前記少なくとも１つのセキュリティエレメントは、前記転送フィルムのキャリアフィルムに着脱自在に設けられていることを特徴とする。
【請求項１６】
請求項１から１３のいずれか１項に記載のセキュリティエレメントを製造する方法であって、
前記光学的効果を電気的に変更可能な少なくとも１つの層が、キャリアフィルム上、又は前記キャリアフィルムに塗布された層若しくはレイヤスタック上に、印刷されていることを特徴とする。
【手続補正２】
【補正対象書類名】明細書
【補正対象項目名】０００６
【補正方法】変更
【補正の内容】
【０００６】
上記目的は、請求項のいずれか１つに記載のセキュリティエレメントを少なくとも１つ有するセキュリティ文書（具体的には、紙幣や身分証明書）によっても達成される。また、上記目的は、請求項のいずれか１つに記載のセキュリティエレメントを少なくとも１つ有する転送フィルムによっても達成することができ、前記少なくとも１つのセキュリティエレメントは、前記転送フィルムのキャリアフィルムに着脱自在に配置される。なお、該セキュリティエレメントを積層フィルムと一体化させることも可能である。さらに、上記目的は、請求項のいずれか１つに記載のセキュリティエレメントを製造する方法によっても達成され、前記少なくとも１つの層は、好ましくはキャリアフィルム上、又はキャリアフィルムに塗布された層若しくはレイヤスタック（layer stack）上に、印刷されてなる。
【手続補正３】
【補正対象書類名】明細書
【補正対象項目名】００９２
【補正方法】変更
【補正の内容】
【００９２】
また、少なくとも１つの効果層は、第５回折レリーフ構造（具体的には、キネグラム（登録商標）やホログラム、０次回折構造、ブレーズド格子（特に、非対称鋸歯レリーフ構造）、回折構造（特に、線形若しくは交差した正弦波回折格子）、光回折及び／若しくは光屈折及び／若しくは光収束型のマイクロ若しくはナノ構造、バイナリ若しくは連続フレネルレンズ、バイナリ若しくは連続フレネルフリー表面、回折若しくは屈折マクロ構造（特に、レンズ構造若しくはマイクロプリズム構造）、鏡面、マット構造（特に、異方性若しくは等方性のマット構造）、又はこれらの構造の組み合わせ）が成型される複製ニス層とすることができる。
【手続補正４】
【補正対象書類名】明細書
【補正対象項目名】０１９２
【補正方法】変更
【補正の内容】
【０１９２】
図１７は、窓開口７１が（スタンピング等により）形成されたセキュリティ文書２（例えば、紙幣）を示す。なお、好ましくは、窓７１はセキュリティ文書２の紙部分を完全に貫通する。この例において、セキュリティ文書２の厚さは最大で１０００μｍ、好ましくは２０から２００μｍ、より好ましくは５０から１４０μｍとされる。
セキュリティエレメント１は圧電エネルギ源７０を備え、接着層６９等によってセキュリティ文書２の片面に固定される。該セキュリティエレメント１において、光学的効果を電気的に変更可能な層１１は、窓７１を閉じるように配置される。圧電エネルギ源７０は、電極層３０，３１が設けられている両面のそれぞれと対向するように設けられた圧電素材（例えばＰＶＤＦ：ポリフッ化ビニリデン）の層７５を含む。